(57)【要約】【課題】利用者に絵馬との一体感を持たせる。【解決手段】絵馬２は、中心に円孔４が穿設された円形の本体３と、この円孔４に合致した形状を有しこの円孔４に通過可能に嵌め入れられる装着片５とを備えている。本体３は、絵馬として未完成で、装着片５を円孔４に嵌め入れて絵馬２が完成するようになっている。装着片５は円孔４に嵌め入れられた後、あるいは円孔４を通過させた後、持ち帰ることができる。【効果】簡素な構成で、取り扱いしやすくて縁起がよく、しかもコストダウンを図ることができる。利用者自身が装着片５を円孔４に嵌め入れて絵馬２を完成させるようにしているので、絵馬２に一体感を持つことができる。装着片を持ち帰り身近に置くことにより、祈願や報謝の念を絵馬奉納後も持ち続けられる。【選択図】　　　　図１
2004141187.tif 000002
【特許請求の範囲】
【請求項１】
欠落部を有する未完成の本体と、この欠落部の形状にほぼ対応しこの欠落部に通過可能に嵌め入れられる装着片とを備え、本体の欠落部にこの装着片を嵌め入れて完成させることを特徴とする絵馬。
【請求項２】
欠落部を有する未完成の本体と、この欠落部の形状にほぼ対応しこの欠落部に通過可能に嵌め入れられる装着片とを備え、本体の欠落部にこの装着片を嵌め入れて完成させた後、装着片を持ち帰ることを特徴とする絵馬の使用方法。
【発明の詳細な説明】
【０００１】
【産業上の利用分野】
本発明は、絵馬とその使用方法に関するものである。
【０００２】
【従来の技術】
一般に、絵馬は、馬の絵が描かれた額に祈願や報謝の言葉を書き入れ社寺に奉納するようになっている。従来、絵馬の余白に祈願や報謝の言葉とともに名前を書き添えて奉納するようにしているが、祈願や報謝の気持ちを忘れ難くするためその一部を持ち帰ることができるようにした絵馬が提案されている（例えば、特許文献１参照。）。
【０００３】
【特許文献１】
特許第２７４７８８５号公報（第２頁、図１）
【０００４】
【発明が解決しようとする課題】
上記従来の絵馬では、絵馬本体から分離した分離片を奉納の記念やお守りとして持ち帰ることができるものの、分離片を、絵馬本体にドリル等で貫通させた孔から糸ノコにより縦長円形状に切り込んだ透かし溝（スリット）によって縁取られ、一部を切り残してこれを仮止め部とし、絵馬本体に一体化するようにしている。このため、絵馬自体の製造コストが増大するという問題がある。また、絵馬は木材の板から構成されることが多いので、持ち帰られる分離片の切り離された仮止め部がささくれだってしまうため、手で扱う場合慎重な取り扱いが求められる。さらに絵馬は縁起物であるだけに、絵馬本体から分離片を「切る」「離す」という行為を行うことに抵抗を感じるという問題がある。
【０００５】
本発明は上記欠点を除くためになされたもので、簡素な構成で、取り扱いしやすくて縁起がよく、しかもコストダウンを図ることができる絵馬とその使用方法を提供するものである。
【０００６】
【課題を解決するための手段】
本発明に係る絵馬は、欠落部を有する未完成の本体と、この欠落部の形状にほぼ対応しこの欠落部に通過可能に嵌め入れられる装着片とを備え、本体の欠落部にこの装着片を嵌め入れて完成させるようにしたものである。
【０００７】
本発明に係る絵馬では、欠落部を有する未完成の本体と、この欠落部の形状にほぼ対応しこの欠落部に通過可能に嵌め入れられる装着片とを備え、本体の欠落部にこの装着片を嵌め入れて完成させるようにしたので、装着片を未完成の絵馬本体に嵌め入れて完成させることにより、縁起良く感じられ絵馬に対する一体感を持つことができ、祈願や報謝の気持ちが強められる。絵馬本体と装着片とを別体に形成するようにしているので、従来のように本体に複雑な加工を施す必要がなく、大量生産が可能になり製造コストが低減される。装着片は予め取り扱いしやすいように形成することができるので、絵馬を完成させ祈願や報謝の気持ちを念じた後、装着片を持ち帰る際にも取り扱いしやすい。
【０００８】
本発明に係る絵馬の使用方法は、欠落部を有する未完成の本体と、この欠落部の形状にほぼ対応しこの欠落部に通過可能に嵌め入れられる装着片とを備え、本体の欠落部にこの装着片を嵌め入れて完成させた後、装着片を持ち帰るようにしたものである。
【０００９】
本発明に係る絵馬の使用方法は、欠落部を有する未完成の本体と、この欠落部の形状にほぼ対応しこの欠落部に通過可能に嵌め入れられる装着片とを備え、本体の欠落部にこの装着片を嵌め入れて完成させた後、装着片を持ち帰るようにしたので、持ち帰った装着片を身近に置いておけば、祈願や報謝の気持ちを長期間忘れないようすることができる。
【００１０】
【発明の実施の形態】
以下図面に示す実施例により本発明を説明する。図１の（Ａ）ないし（Ｃ）はそれぞれ本発明の一実施の形態に係る絵馬の使用状態を示す説明図である。この実施の形態に係る絵馬２は、図１の（Ａ）に示すように、中心に円孔（欠落部）４が穿設された円形の本体３と、この円孔４に合致した形状を有しこの円孔４に通過可能に嵌め入れられる装着片５とを備えている。本体３は、絵馬として未完成で、装着片５が円孔４に嵌め入れられて、絵馬２が完成されるようになっている。本体３は五角形状の板で、「寿」という字がデザインされている。装着片５は本体３に対応したデザインが描かれたり、キャラクターグッズやアクセサリーが取り付けられたりしている。利用者は、この装着片５を本体３の円孔４に嵌め入れ、自らの手で絵馬２を完成させるようになっているため、縁起良く感じることができ、完成された絵馬２に一体感を持てるようになっている。
【００１１】
次に、本発明の絵馬の使用方法について、上記実施の形態に係る絵馬２の作用に基づいて説明する。この絵馬２では、まず利用者が未完成の本体３に対し、装着片５を本体３の円孔４に嵌め入れると、絵馬２が完成される。こうして、絵馬は、利用者の手により完成することになるので、絵馬の奉納にあたり、縁起をかついで絵馬に対する一体感を持つことができ、祈願や報謝の気持ちが強められる。さらに、完成された絵馬２に対して祈願や報謝の気持ちを念じた後、装着片５を円孔４に通して本体３から外し、願いが「通じる」「向う（神仏）へとどく」「達せられる」「成し遂げられる」「叶う」という縁起をかついで、持ち帰ることができる。持ち帰った装着片５は、身近に置いておけば、祈願や報謝の気持ちを長期間忘れないようすることができる。また、装着片５は、祈願や報謝の気持ちを念じつつ、いったん嵌め入れる過程なしで円孔４を通過させて持ち帰るようにしてもよい。本体３と装着片５とはそれぞれ別に形成されるので、従来のように本体に複雑な加工を施す必要がなくコストダウンを図ることができる。また、装着片５は本体３と独立して形成されるので、取り扱いしやすいように形成することができる。このため、従来のような本体から一部を切り離して持ち帰る際に生じるような、ささくれ立つ箇所の発生がない。このため、こどもでも容易に取り扱うことができる。
【００１２】
なお、絵馬２は、本体３に装着片５を嵌め込み完成させて奉納してもよいし、奉納時、未完成の本体２に祈願の言葉を記して奉納し、後日祈願が成就した後、装着片５を報謝の念とともに嵌め入れ完成させるようにしてもよい。円孔４は本体３に欠落部として形成されているが、円孔形状に限られるものではなく、多角形状であってもよいし、一部が開口したスリットでもよい。
【００１３】
図２の（Ａ）ないし（Ｃ）は、上記絵馬２の一変形例に係るもので、絵馬１２の本体１３Ａ、１３Ｂを異なる複数の種類から構成している。これら絵馬本体１３Ａ、１３Ｂには、本体１３Ａ、１３Ｂを貫通する円孔４が形成され装着片５が嵌め入れられるようになっている。この変形例に係る絵馬１２は、本体１３Ａ、１３Ｂが複数種類のタイプ（例えば本体１３Ａように五角形状の板に「開」という字をデザインしたものや本体１３Ｂのように円形状の板に「叶」という字をデザインしたもの。）からなる点を除いて、上記実施の形態に係る絵馬２と同じ構成を有している。また、図３の（Ａ）ないし（Ｃ）は、他の変形例に係る絵馬２２を示すもので、上記実施の形態に係る絵馬２が１つの本体３と１つの装着片５とからなっているのに対し、装着片を異なるデザインの複数の装着片５Ａ、５Ｂ、５Ｃ、…から構成した点が異っている。この絵馬２２では、複数の装着片５Ａ、５Ｂ、５Ｃ、…を選択して絵馬２２を完成させることができるようになっている。
【００１４】
なお、上記実施の形態および各変形例に係る絵馬２、１２、２２は、素材に木を用いているがこれに限られるものではなく、合成樹脂、石、金属、ガラス、厚紙、陶器あるいはミネラル放出材を用いるようにしてもよい。
【００１５】
【発明の効果】
以上述べたように本発明に係る絵馬によれば、欠落部を有する未完成の本体と、この欠落部の形状にほぼ対応しこの欠落部に通過可能に嵌め入れられる装着片とを備え、本体の欠落部にこの装着片を嵌め入れて完成させるようにしたので、絵馬に対する一体感を持つことができ、祈願や報謝の気持ちが強められるとともに、簡素な構成で、取り扱いしやすくて縁起がよく、しかもコストダウンを図ることができる効果がある。
【００１６】
本発明に係る絵馬の使用方法によれば、欠落部を有する未完成の本体と、この欠落部の形状にほぼ対応しこの欠落部に通過可能に嵌め入れられる装着片とを備え、本体の欠落部にこの装着片を嵌め入れて完成させた後、装着片を持ち帰るようにしたので、装着片を持ち帰り身近に置くことにより、祈願や報謝の念を絵馬奉納後も持ち続けられる効果がある。
【図面の簡単な説明】
【図１】（Ａ）ないし（Ｃ）はそれぞれ、本発明の一実施の形態に係る絵馬の使用状態を示す正面図である。
【図２】（Ａ）ないし（Ｃ）はそれぞれ、図１の絵馬の一変形例の使用状態を示す正面図である。
【図３】（Ａ）ないし（Ｃ）はそれぞれ、図１の絵馬の他の変形例の使用状態を示す正面図である。
【符号の説明】
２　絵馬
３　本体
４　円孔（欠落部）
５　装着片
【図１】
2004141187.tif 000003
【図２】
2004141187.tif 000004
【図３】
2004141187.tif 000005